【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
記憶媒体から画像データを読み出して、復号処理及び所定の画像処理を行い、処理済みの画像データを出力手段に出力すると共に、記憶手段に記憶する画像処理装置であって、
前記記憶手段における処理済み画像データに対するキャッシュ動作と解除とを制御するキャッシュ制御手段と、
前記記憶媒体に記憶されている画像データのフォーマットを判断する判断手段とを有し、
前記判断手段により判断したフォーマットが所定フォーマットを含む場合に、前記キャッシュ制御手段は前記所定フォーマット以外の処理済み画像データをキャッシュしないように制御することを特徴とする画像処理装置。
【請求項２】
記憶媒体から画像データを読み出して、復号処理及び所定の画像処理を行い、処理済みの画像データを出力手段に出力すると共に、記憶手段に記憶する画像処理装置であって、
前記記憶手段における処理済み画像データに対するキャッシュ動作と解除とを制御するキャッシュ制御手段と、
前記記憶手段に処理済みの画像データを記憶するための十分な空き容量があるかどうかを判定する判定手段と、
前記判定手段により前記記憶手段に十分な空き容量が無いと判断された場合に、前記記憶手段に記憶されている処理済み画像データのうち、所定フォーマットの画像データを処理して得た画像データがあるかどうかを判断する判断手段とを有し、
前記判断手段により所定フォーマットの画像データを処理して得た画像データがあると判断された場合に、前記キャッシュ制御手段は、前記所定フォーマット以外の画像データを優先的にキャッシュ解除することを特徴とする画像処理装置。
【請求項３】
前記所定フォーマットは複数のフォーマットを含むことを特徴とする請求項１または２に記載の画像処理装置。
【請求項４】
前記所定フォーマットは、前記画像処理装置が処理可能なフォーマットの内、処理にかかる時間が最も長いフォーマットを含むことを特徴とする請求項１乃至３のいずれか１項に記載の画像処理装置。
【請求項５】
前記所定フォーマットは、可逆圧縮データフォーマットを含むことを特徴とする請求項１乃至４のいずれか１項に記載の画像処理装置。
【請求項６】
前記所定フォーマットは、ＲＡＷデータフォーマットを含むことを特徴とする請求項１乃至５のいずれか１項に記載の画像処理装置。
【請求項７】
前記所定フォーマットを指定する指定手段を更に有することを特徴とする請求項１または２に記載の画像処理装置。
【請求項８】
前記判断手段により判断されたフォーマットの内、前記復号処理及び所定の画像処理に最も時間がかかるフォーマットを前記所定フォーマットと決定する決定手段を更に有することを特徴とする請求項１に記載の画像処理装置。
【請求項９】
フォーマットの優先順位を判断する第２の判断手段を更に有し、
前記キャッシュ制御手段は、フォーマットの優先順位が低い画像データから優先的にキャッシュ解除することを特徴とする請求項２に記載の画像処理装置。
【請求項１０】
記憶媒体から画像データを読み出して、復号処理及び所定の画像処理を行い、処理済みの画像データを出力手段に出力する画像処理装置であって、
前記画像データの読み出し及び前記復号処理及び所定の画像処理にかかる時間を計測する計時手段と、
前記処理済みの画像データ及び前記計時手段により計時された時間を記憶する記憶手段と、
前記記憶手段における処理済み画像に対するキャッシュ動作と解除とを制御するキャッシュ制御手段と、
前記記憶手段に処理済みの画像データを記憶するための十分な空き容量があるかどうかを判断する判断手段とを有し、
前記判断手段により前記記憶手段に十分な空き容量が無いと判断された場合に、前記キャッシュ制御手段は、前記記憶手段に記憶されている処理済み画像データのうち、前記計時手段により計測された時間が最も短い画像データから優先的にキャッシュ解除することを特徴とする画像処理装置。
【請求項１１】
記憶媒体から画像データを読み出して、復号処理及び所定の画像処理を行い、処理済みの画像データを出力手段に出力すると共に、記憶手段に記憶する画像処理装置において、前記記憶手段における処理済み画像データに対するキャッシュ動作と解除とを制御する制御方法であって、
前記記憶媒体に記憶されている画像データのフォーマットを判断する判断工程と、
前記判断工程で判断したフォーマットが所定フォーマットを含む場合に、前記所定フォーマット以外の処理済み画像データをキャッシュしないように制御する制御工程と
を有することを特徴とする制御方法。
【請求項１２】
記憶媒体から画像データを読み出して、復号処理及び所定の画像処理を行い、処理済みの画像データを出力手段に出力すると共に、記憶手段に記憶する画像処理装置において、前記記憶手段における処理済み画像データに対するキャッシュ動作と解除とを制御する制御方法であって、
前記記憶手段に処理済みの画像データを記憶するための十分な空き容量があるかどうかを判定する判定工程と、
前記判定工程で前記記憶手段に十分な空き容量が無いと判断された場合に、前記記憶手段に記憶されている処理済み画像データのうち、所定フォーマットの画像データを処理して得た画像データがあるかどうかを判断する判断工程と、
前記判断工程で所定フォーマットの画像データを処理して得た画像データがあると判断された場合に、前記所定フォーマット以外の画像データを優先的にキャッシュ解除するように制御する制御工程と
を有することを特徴とする制御方法。
【請求項１３】
前記所定フォーマットは複数のフォーマットを含むことを特徴とする請求項１１または１２に記載の制御方法。
【請求項１４】
前記所定フォーマットは、前記画像処理装置が処理可能なフォーマットの内、処理にかかる時間が最も長いフォーマットを含むことを特徴とする請求項１１乃至１３のいずれか１項に記載の制御方法。
【請求項１５】
前記所定フォーマットは、可逆圧縮データフォーマットを含むことを特徴とする請求項１１乃至１４のいずれか１項に記載の制御方法。
【請求項１６】
前記所定フォーマットは、ＲＡＷデータフォーマットを含むことを特徴とする請求項１１乃至１５のいずれか１項に記載の制御方法。
【請求項１７】
前記所定フォーマットを指定する指定工程を更に有することを特徴とする請求項１１または１２に記載の制御方法。
【請求項１８】
前記判断工程で判断されたフォーマットの内、前記復号処理及び所定の画像処理に最も時間がかかるフォーマットを前記所定フォーマットと決定する決定工程を更に有することを特徴とする請求項１１に記載の制御方法。
【請求項１９】
フォーマットの優先順位を判断する第２の判断工程を更に有し、
前記制御工程は、フォーマットの優先順位が低い画像データから優先的にキャッシュ解除することを特徴とする請求項１２に記載の制御方法。
【請求項２０】
記憶媒体から画像データを読み出して、復号処理及び所定の画像処理を行い、処理済みの画像データを出力手段に出力する画像処理装置における、処理済み画像データに対するキャッシュ動作と解除とを制御する制御方法であって、
前記画像データの読み出し及び前記復号処理及び所定の画像処理にかかる時間を計測する計時工程と、
前記処理済みの画像データ及び前記計時工程で計時された時間を記憶手段に記憶する記憶工程と、
前記記憶手段に処理済みの画像データを記憶するための十分な空き容量があるかどうかを判断する判断工程と、
前記判断工程で前記記憶手段に空き容量が無いと判断された場合に、前記記憶工程の実行に先立って、前記記憶手段に記憶されている処理済み画像データのうち、前記計時工程で計測された時間が短い画像データから優先的にキャッシュ解除するように制御する制御工程と
を有することを特徴とする制御方法。
【請求項２１】
情報処理装置が実行可能なプログラムであって、前記プログラムを実行した情報処理装置を、請求項１乃至１０のいずれか１項に記載の画像処理装置として機能させることを特徴とするプログラム。
【請求項２２】
情報処理装置に、請求項１１乃至２０のいずれか１項に記載の制御方法の各工程を実行させるためプログラム。
【請求項２３】
請求項２１又は２２に記載のプログラムを記憶した情報処理装置が読み取り可能な記憶媒体。
【手続補正２】
【補正対象書類名】明細書
【補正対象項目名】００２６
【補正方法】変更
【補正の内容】
【００２６】
また、記憶媒体から画像データを読み出して、復号処理及び所定の画像処理を行い、処理済みの画像データを出力手段に出力すると共に、記憶手段に記憶する画像処理装置において、前記記憶手段における処理済み画像データに対するキャッシュ動作と解除とを制御する本発明の制御方法は、前記記憶媒体に記憶されている画像データのフォーマットを判断する判断工程と、前記判断工程で判断したフォーマットが所定フォーマットを含む場合に、前記所定フォーマット以外の処理済み画像データをキャッシュしないように制御する制御工程とを有する。
【手続補正３】
【補正対象書類名】明細書
【補正対象項目名】００２７
【補正方法】変更
【補正の内容】
【００２７】
また、別の構成によれば、記憶媒体から画像データを読み出して、復号処理及び所定の画像処理を行い、処理済みの画像データを出力手段に出力すると共に、記憶手段に記憶する、本発明の画像処理装置は、前記記憶手段における処理済み画像データに対するキャッシュ動作と解除とを制御するキャッシュ制御手段と、前記記憶手段に処理済みの画像データを記憶するための十分な空き容量があるかどうかを判定する判定手段と、前記判定手段により前記記憶手段に十分な空き容量が無いと判断された場合に、前記記憶手段に記憶されている処理済み画像データのうち、所定フォーマットの画像データを処理して得た画像データがあるかどうかを判断する判断手段とを有し、前記判断手段により所定フォーマットの画像データを処理して得た画像データがあると判断された場合に、前記キャッシュ制御手段は、前記所定フォーマット以外の画像データを優先的にキャッシュ解除する。
【手続補正４】
【補正対象書類名】明細書
【補正対象項目名】００２８
【補正方法】変更
【補正の内容】
【００２８】
また、記憶媒体から画像データを読み出して、復号処理及び所定の画像処理を行い、処理済みの画像データを出力手段に出力すると共に、記憶手段に記憶する画像処理装置において、前記記憶手段における処理済み画像データに対するキャッシュ動作と解除とを制御する本発明の制御方法は、前記記憶手段に処理済みの画像データを記憶するための十分な空き容量があるかどうかを判定する判定工程と、前記判定工程で前記記憶手段に十分な空き容量が無いと判断された場合に、前記記憶手段に記憶されている処理済み画像データのうち、所定フォーマットの画像データを処理して得た画像データがあるかどうかを判断する判断工程と、前記判断工程で所定フォーマットの画像データを処理して得た画像データがあると判断された場合に、前記所定フォーマット以外の画像データを優先的にキャッシュ解除するように制御する制御工程とを有する。
【手続補正５】
【補正対象書類名】明細書
【補正対象項目名】００３０
【補正方法】変更
【補正の内容】
【００３０】
また、記憶媒体から画像データを読み出して、復号処理及び所定の画像処理を行い、処理済みの画像データを出力手段に出力する画像処理装置における、処理済み画像データに対するキャッシュ動作と解除とを制御する本発明の制御方法は、前記画像データの読み出し及び前記復号処理及び所定の画像処理にかかる時間を計測する計時工程と、前記処理済みの画像データ及び前記計時工程で計時された時間を記憶手段に記憶する記憶工程と、前記記憶手段に処理済みの画像データを記憶するための十分な空き容量があるかどうかを判断する判断工程と、前記判断工程で前記記憶手段に空き容量が無いと判断された場合に、前記記憶工程の実行に先立って、前記記憶手段に記憶されている処理済み画像データのうち、前記計時工程で計測された時間が短い画像データから優先的にキャッシュ解除するように制御する制御工程とを有する。